(57)【要約】【課題】  光センサや認識回路など余分な部品を必要とせず、安価な手段により光ディスクメディアを認識することが可能な可換メディアの確認方法及びメディア再生装置を提供することを目的とする。【解決手段】  可換メディアを保持するためのトレー１１と、トレー１１を収納するための筐体と、可換メディア１４から情報を読み出すための再生手段とを具備するメディア再生装置１０において、起動時に、一時てきにトレー１１を筐体から可換メディア１４のラベル面を目視により確認できるくらい送出するステップと、その後トレー１１を筐体に挿入させるステップとを具備する。【選択図】  図１
2005135560.tif 000002
【特許請求の範囲】
【請求項１】
可換メディアを保持するためのトレーと、
前記トレーを収納するための筐体と、
前記可換メディアから情報を読み出すための再生手段とを具備するメディア再生装置において、
起動時に、一時てきに前記トレーを前記筐体から前記可換メディアのラベル面を目視により確認できるくらい送出するステップと、
その後前記トレーを前記筐体に挿入させるステップとを具備することを特徴とする可換メディアの確認方法。
【請求項２】
可換メディアを保持するためのトレーと、
前記トレーを収納するための筐体と、
前記可換メディアから情報を読み出すための再生手段と、
起動時に、一時てきに前記トレーを前記筐体から前記可換メディアのラベル面を目視により確認できるくらい送出し、その後挿入させるトレー駆動手段とを具備することを特徴とするメディア再生装置。
【請求項３】
可換メディアの認識をするための認識手段と、
前記認識手段により認識された可換メディアの種別に応じて、異なる信号を発生させる信号発生手段と、
前記信号発生手段の信号により点灯するＬＥＤとを具備することを特徴とする請求項２記載のメディア再生装置。
【発明の詳細な説明】
【技術分野】
【０００１】
本発明は、可換メディアの確認方法及びメディア再生装置に関する。
【背景技術】
【０００２】
光ディスクメディアは、ＣＤ、ＣＤ−Ｒ、ＣＤ−ＲＷ、ＣＤ−ＲＡＭやＤＶＤ、ＤＶＤ−Ｒ、ＤＶＤ−ＲＷ、ＤＶＤ−ＲＡＭなど近年、非常に数多くの規格が定められている。さらに青色ＤＶＤなど今後も新しい規格が定められることが予想される。一方光ディスクメディアを再生するための再生装置は、これらの多数の規格に対応することが求められる。そのなかの機能のひとつとして、挿入された光ディスクメディアがどの規格のものであるかを検出し認識する処理が必要である。
【０００３】
また、光ディスクメディアはこれを再生するための再生装置に容易に入れ替えることが可能な可換メディアである。したがって同じ規格の光ディスクメディアであっても数多く入れ替えて用いることが前提となっている。しかしながら光ディスクメディアは、規格が同じであってもメーカー間によって個々に物理的特性がばらついている場合が多く、正確にかつ安定的に再生するには再生装置により光ディスクメディアの物理的特性を検出する必要がある。
【０００４】
特許文献１（特開平９−２０４６８２号公報）には、複数のディスクの種類を検知して、適正な光学系を選択し、適正な信号の記録又は再生を行う情報記録再生装置が記載されている。
【０００５】
また、特許文献２（特開平８−１８０５７０号公報）には、ディスクが搭載されているかどうか検出する光センサによって、光ディスクメディアが搭載されているかどうか判定するものが記載されている。
【特許文献１】特開平９−２０４６８２号公報
【特許文献２】特開平８−１８０５７０号公報
【発明の開示】
【発明が解決しようとする課題】
【０００６】
従来、光ディスクドライブに挿入されている光ディスクメディアが使用目的のメディアかどうかを確認する場合、光ディスクメディアに光を照射しこれの反射光を検出してその光ディスクメディアの種類や光学的特性を認識していた。
【０００７】
しかしながらこのような方法で光ディスクメディアを認識するためには、光センサや認識回路などが必要となりコストアップの問題がある。
【０００８】
本発明は、上記問題を解決するためになされたものであり、光センサや認識回路など余分な部品を必要とせず、安価な手段により光ディスクメディアを認識することが可能な可換メディアの確認方法及びメディア再生装置を提供することを目的とする。
【課題を解決するための手段】
【０００９】
上記目的を達成するために、本発明は、可換メディアを保持するためのトレーと、
前記トレーを収納するための筐体と、
前記可換メディアから情報を読み出すための再生手段とを具備するメディア再生装置において、
起動時に、一時てきに前記トレーを前記筐体から前記可換メディアのラベル面を目視により確認できるくらい送出するステップと、
その後前記トレーを前記筐体に挿入させるステップとを具備することを特徴とする可換メディアの確認方法を提供する。
【００１０】
また、本発明は、可換メディアを保持するためのトレーと、
前記トレーを収納するための筐体と、
前記可換メディアから情報を読み出すための再生手段と、
起動時に、一時てきに前記トレーを前記筐体から前記可換メディアのラベル面を目視により確認できるくらい送出し、その後挿入させるトレー駆動手段とを具備することを特徴とするメディア再生装置を提供する。
【００１１】
を提供する。
【発明の効果】
【００１２】
光ディスクなどの可換メディアを再生装置によって再生する際に、トレーをメディアのラベル面を目視により確認できるくらいの幅で自動的に開閉することで、ユーザーがわざわざ機器の取り出し操作を行う必要なく装置に装着された可換メディアの種類やメーカーを知ることができるので、その後の設定を自由に行うことが出来る。
【００１３】
さらに、可換メディアを認識するための認識手段と、認識手段により認識された可換メディアの種別に応じて、異なる信号を発生させる信号発生手段と、信号発生手段の信号により点灯するＬＥＤとを具備することで、ユーザーの認識を補助することが出来る。
【発明を実施するための最良の形態】
【００１４】
以下、図面を参照しながら本実施例について説明する。
【００１５】
図１は、本発明の一実施の形態に係わるメディア再生装置について説明するための斜視図である。ここではメディアとして裸の光ディスクおよびカートリッジに内装された光ディスクを例に挙げて説明する。なお、メディアとしては光ディスクに限定されず、目視によってそのメディアの種類やメーカーを確認できるものであればなんでも良い。
【００１６】
図１（ａ）において、１０は光ディスク再生装置本体であり、この光ディスク再生装置本体１０の前面には、トレー１１を水平に挿脱自在な開口部１２が設けられている。トレー１１の底部１３には、図１（ｂ）にも示すように裸の光ディスク１４を載置するために光ディスクの形状で一段低くした第１のディスク搭載部１５を形成する。
【００１７】
第１のディスク搭載部１５はトレー１１の底部１３にディスク形状にほぼ一致するような窪みを形成することで、裸の光ディスク１４が納まるようになっている。第１のディスク搭載部１５には、光ディスク再生装置１０内部の光ピックアップヘッドが移動する個所に対応して、切り欠き１６が形成されている。また、底部１３にはプッシュスイッチ等のメカニカル検出スイッチ１７を設置する。
【００１８】
また、光ディスク再生装置１０のトレー１１には、図１（ｃ）に示すように、光ディスクがカートリッジに収納されたカートリッジ型光ディスク１８を搭載するための第２のディスク搭載部１９を形成する。第２のディスク搭載部１９にカートリッジ型光ディスク１８が搭載されると検出スイッチ１７をオンし、カートリッジ型光ディスク１８が搭載されたことを認識可能となる。検出スイッチ１７はカートリッジ型光ディスク１８が搭載されたか否かを認識するためのものである。従って、裸の光ディスク１４が搭載されたときには、検出ス
イッチ１７は動作しない。
【００１９】
カートリッジ型光ディスク１８が搭載された状態で、トレー１１が光ディスク再生装置本体１０に収納されると、シャッター２０が図中矢印で示すように左方向もしくは右方向にスライドする。すると、カートリッジのシャッター２０部分は切り欠かれており、この切り欠かれを介して内部の光ディスクに対してピックアップヘッドが光ビームを照射可能となる。
【００２０】
なお、図示していないが、この光ディスク再生装置本体１０内には、トレー１１が光ディスク再生装置本体１０からオープンした位置にあるときに、トレー１１がある程度本体方向に押し付けられると自動的にローディングを行うローディング機構と、開閉操作キー２１を押して、開操作を行うと自動的にローディングを行うローディング機構を備えている。また、トレー１１が光ディスク再生装置本体１０内に位置するときに開閉操作キー２１を押しイジェクト操作を行うと、自動的にトレー１１をアンローディングする機構が設けられている。
【００２１】
図１のメディア再生装置１０は、起動時に自動的にトレー１１を開閉させる手段（図示せず）を持つ。この開平手段によりメディア再生装置１０のトレー１１は開閉され、ユーザーは、挿入済みメディアを視認しそれが使用目的のメディアかどうかを判断することができる。このときの開平幅はユーザーがラベルを認識する程度であれば良く、メディアを取り除くように全て出てくる必要はない。このとき開いてから閉じる動作の間に、メディアのラベルをユーザーが認識しやすくするために小休止（ポーズ）を入れても良い。
【００２２】
ユーザーがこのメディアを認識するステップによって、使用目的のメディアならそのまま再生ステップに移行できるので、ユーザーにメディアを確認するための余分な手間をかけずに済む。また、このとき使用目的のメディアでないなら、ユーザーは直ちにメディアを交換する判断が可能になり、使用目的メディアの使用までの待ち時間が短縮される。
【００２３】
次に、図２を用いて本実施の形態における可換メディアの確認方法について説明する。
【００２４】
先ず、可換メディアをトレー１１に挿入し、初期化を行う（Ｓ１）。次に、メディア再生装置１０は、メディアを検出し（Ｓ２）、手段２において記憶しているメディアの種類及び物理的特性情報を使用するか、実際に挿入されているメディアを測定検出するかを判断する（Ｓ３）。
【００２５】
Ｓ３のステップにて、記憶しているメディアの種類および物理的特性情報を使用すると判断した場合、記憶しているメディアの種類および物理的特性を設定する（Ｓ４）。次に、手段３にて正常に読み取りが可能かどうかを判断する（Ｓ５）。設定が適切と判断された場合、動作可能状態として（Ｓ７）、メディア検出ステップ（Ｓ２）に戻る。また、Ｓ５のステップにて設定が不適切であると判断された場合、メディア種類の判別及び物理的特性を学習する（Ｓ６）。その後動作可能状態として（Ｓ７）、メディア検出ステップ（Ｓ２）に戻る。
【００２６】
一方、Ｓ３のステップにて、実際に挿入されているメディアを検出測定する場合、メディア種類判別及び物理的特性を学習する（Ｓ６）。その後動作可能状態として（Ｓ７）、メディア検出ステップ（Ｓ２）に戻る。
【００２７】
このように予め記憶されている補正情報を所定のタイミングで最補正することで、再生時におけるメディアの物理的或いは環境の変化によっても最適の読み取り条件を提供できる。
【００２８】
次に、図３において、手段１および手段２について、詳しく説明する。
【００２９】
先ず、手段１を設定するときのフローチャートとして、手段４にて実際挿入されているメディアを検出測定する。手段５にてホストコンピュータから特定のコマンドを受信する。手段６にて予め再生装置に記憶する。これら手段４、５、６を用いてメディアの種別及び物理的特性を記憶する。
【００３０】
次に、手段２を設定するときのフローチャートとして、手段７にてホストからのモード設定コマンドを受信する。手段８にてイジェクトボタンによるモード設定を選択する。これら手段７、８を用いて記憶されたメディアの種類及び物理的特性情報を記憶する。
【００３１】
次に、本発明の変形例として、図１のメディア再生装置１０は、通常１つ以上のＬＥＤ（図示せず）をユーザーが確認できる位置に持っても良い。
【００３２】
例えば、ＬＥＤの点滅パターンをメディア再生装置１０に挿入された可換メディアを認識する過程において変化させる手段を持つことで、起動時にユーザーはトレーが一時的に開閉する際にＬＥＤの点滅パターンを認識することで、挿入済みメディアが使用目的のメディアかどうかより簡単に判断することができる。
【００３３】
使用目的のメディアなら、ユーザーにメディアを確認するための余分な手間をかけずに済む。使用目的のメディアでないなら、ユーザーは直ちにメディアを交換する判断が可能になり、使用目的メディアの使用までの待ち時間が短縮される。
【００３４】
以上、本発明の好ましい実施の形態について説明してきたが、本発明は上記実施形態に限定されることなく、種々選択して用いることが出来る。
【図面の簡単な説明】
【００３５】
【図１】本発明の一実施の形態について説明するためのメディア再生装置の外観斜視図である。
【図２】本発明の一実施の形態における可換メディアの確認方法を説明するためのフローチャートである。
【図３】本発明の一実施の形態における可換メディアの確認方法を説明するためのフローチャートである。
【符号の説明】
【００３６】
１０…光ディスク再生装置本体、１１…トレー、１２…開口部、１３…底部、１４…裸の光ディスク、１５…第１のディスク搭載部、１７…検出スイッチ、１８…カートリッジ型光ディスク、１９…第２のディスク搭載部
【図１】
2005135560.tif 000003
【図２】
2005135560.tif 000004
【図３】
2005135560.tif 000005